(57)【要約】【課題】【解決手段】非同期無線通信システム（１００）においてページングチャネルを効率的に処理する技術。１つの観点では、基地局（１０４ａ，ｂ，ｃ）は互いに同期しておらず、遠隔端末（１０６）の設計されたページ時間は、再捕捉検索リスト（７１２）中の基地局毎に異なる。再捕捉検索リストには、遠隔端末がハンドオフされる可能性のある候補基地局が含まれる。別の観点では、再捕捉候補として評価する基地局を選択するための基準は、基地局の受信電力（５１２）とともにこれらのタイミングに基づいてもよい。受信電力とタイミングの両方は好適基地局の受信電力およびタイミングに対して作られてもよい。さらに別の観点では、遠隔端末がハンドオフされる１つ以上の候補基地局が存在する場合、遠隔端末は特定のページングサイクル（すなわち、フレームサイクルまたはＤＲＸサイクル）で複数回ウェイクアップすることができる。【選択図】図１
2004504783.tif 000002
【特許請求の範囲】
【請求項１】
ワイヤレス通信システム内の端末で、複数の送信機からの複数の送信を処理する方法であって、１つの送信機は端末に対して向けられたメッセージを送信する好適送信機として指定され、この方法は、
複数の送信機から複数の送信を受信し、
複数の送信機のそれぞれに対して受信電力を決定し、
複数の送信機のそれぞれに関連するタイミングを決定し、
１つ以上の送信機の第１のリストを作成して、後に続く期間で、複数の送信機に対して決定された受信電力およびタイミングに基づいて評価することを含む方法。
【請求項２】
複数の送信機は、好適送信機のタイミングに対して非同期である請求項１記載の方法。
【請求項３】
各送信機のタイミングは、送信機に対するシステムフレームの開始に基づいて規定される請求項１記載の方法。
【請求項４】
第１のリスト中の１つ以上の送信機は、後に続く期間で遠隔端末がハンドオフされる送信機を含む請求項１記載の方法。
【請求項５】
好適送信機の特定の時間ウィンドウ内にタイミングを有する送信機は、第１の組の基準を満たす場合には第１のリストに含まれ、好適送信機の特定時間ウィンドウ外にタイミングを有する送信機は、第２の組の基準を満たす場合には第１のリストに含まれる請求項１記載の方法。
【請求項６】
受信電力が第１のしきい値電力レベルを超える場合、第１の組の第１の基準が満たされ、受信電力が第１のしきい値電力レベルより大きいかまたは等しい第２のしきい値電力レベルを超える場合、第２の組の第１の基準が満たされる請求項５記載の方法。
【請求項７】
複数の送信機のうち好適送信機以外の残りの送信機は隣接送信機として指定され、この方法は、
要求電力レベルを超える受信電力を有する各隣接送信機に対するタイマを保持することをさらに含み、このタイマは、関連隣接送信機が要求電力レベルより上で受信される推定期間を示す請求項１記載の方法。
【請求項８】
１つ以上の送信機の第１のリストは、隣接送信機のために保持されるタイマの値に部分的に基づいてさらに作成される請求項７記載の方法。
【請求項９】
隣接送信機は、この隣接送信機のタイマが規定された再選択時間を超える場合、第１のリストに含めることが考慮される請求項８記載の方法。
【請求項１０】
前記保持することは、特定の隣接送信機が、現在のアクティブ時間期間の第１の時間の間、要求電力レベルより上で受信された場合に、この特定の隣接送信機に対するタイマを初期値で初期化することを含む請求項７記載の方法。
【請求項１１】
前記保持することは、特定の隣接送信機が、現在のアクティブ時間期間の第１の時間の間、要求電力レベルより低い第１の電力レベルより上で受信された場合に、この特定の隣接送信機に対するタイマを初期値で初期化することを含み、この初期値は、次のアクティブ時間期間に対する２分の１の時間として選択される請求項７記載の方法。
【請求項１２】
好適送信機の特定時間ウィンドウ内にタイミングを有する隣接送信機に対する初期値は、最後のアクティブ時間期間以降の期間の１．５倍の時間として選択される請求項１０記載の方法。
【請求項１３】
好適送信機の特定時間ウィンドウ外にタイミングを有する隣接送信機に対する初期値は、最後のアクティブ時間期間以降の時間の半分の時間に、好適送信機のタイミングと隣接送信機のタイミングとの差の時間を加えたものとして選択される請求項１０記載の方法。
【請求項１４】
前記保持することは、現在のアクティブ時間期間の後に続く時間の間、隣接送信機が要求電力レベルより上で受信される場合、各隣接送信機のタイマを更新値で更新することを含む請求項１０記載の方法。
【請求項１５】
更新値は、次の非アクティブ時間期間に対する期間として選択される請求項１４記載の方法。
【請求項１６】
第１のリスト中の１つ以上の送信機のそれぞれについて、メッセージが送信機によって端末に送信されうる時間に対応するページインジケータに端末が関連づけられる請求項１記載の方法。
【請求項１７】
後に続く期間は、第１のリスト中の１つ以上の送信機に対する最も早いページインジケータに基づいて選択される請求項１６記載の方法。
【請求項１８】
後に続く期間は、第１のリスト中のどの送信機も早いページインジケータを持たない場合、好適送信機に対するページインジケータに基づいて選択される請求項１６記載の方法。
【請求項１９】
送信機の第２のリストを作成して、後に続く期間で、複数の送信機に対して決定された受信電力およびタイミングに基づいて評価することをさらに含み、第２のリスト中の各送信機は、遠隔端末が後に続く期間でハンドオフされうる候補ではない請求項１記載の方法。
【請求項２０】
後に続く期間まで非アクティブ状態に入ることをさらに含む請求項１記載の方法。
【請求項２１】
第１のリスト中の１つ以上の送信機から１つ以上の送信を後に続く期間で受信し、
第１のリスト中の１つ以上の送信機のそれぞれに対して受信電力を決定することをさらに含む請求項１記載の方法。
【請求項２２】
隣接送信機に対する受信電力が後に続く期間で要求電力レベルを超える場合、第１のリスト中の特定の隣接送信機にハンドオフすることをさらに含む請求項２１記載の方法。
【請求項２３】
ワイヤレス通信システムの端末で、複数の基地局からの複数の送信を処理する方法であって、１つの基地局は端末に向けられたメッセージを送信する好適基地局として指定され、残りの基地局は隣接基地局として指定され、この方法は、
複数の基地局から複数の送信を受信し、
複数の基地局のそれぞれに対して受信電力を決定し、
基地局に対するシステムフレームの開始に基づいて各基地局に関連するタイミングを決定し、複数の基地局のタイミングは好適基地局のタイミングに対して非同期であり、
要求電力レベルを超える受信電力を有する各隣接基地局に対するタイマを保持し、このタイマは、関連隣接基地局がしきい値電力レベルより上で受信される推定期間を示しており、
１つ以上の基地局のリストを作成して、後に続く期間で、基地局に対する受信電力、タイミング、およびタイマに基づいて評価することを含む方法。
【請求項２４】
複数の送信機から複数の送信を受信かつ処理して、複数のサンプルのストリームを生成するよう動作可能な受信機と、
受信機に結合され、複数のサンプルのストリームを受信し、かつ複数の送信機のそれぞれに対して受信電力を決定するよう動作可能な電力測定ユニットと、
受信機に結合され、複数のサンプルのストリームを受信し、かつ複数の送信機のそれぞれに関連するタイミングを決定するよう動作可能な復調器と、
電力測定ユニットおよび復調器に結合され、１つ以上の送信機のリストを作成して、後に続く期間で、送信機に対する受信電力およびタイミングに基づいて評価するよう動作可能な制御装置とを具備する、ワイヤレス通信システムにおいて使用する受信処理ユニット。
【請求項２５】
制御装置は、要求電力レベルを超える受信電力を有する各隣接送信機に対するタイマを保持するようさらに動作可能であり、このタイマは、関連隣接送信機が要求電力レベルより上で受信される推定期間を示す請求項２４記載の受信処理ユニット。
【発明の詳細な説明】
【０００１】
【発明の属する技術分野】
クロスリファレンス
本願は、“非同期ＷＣＤＭＡ（ＤＳ）スロッテッドモードに対するスロッテッドモード検索、再捕捉、ハンドオフ”と題され、２０００年７月１３日に出願された、仮米国特許出願番号第６０／２１８，５５２号の優先権を主張する。この米国特許出願は、すべての目的のために、その全体が参照によりここに取り込まれる。
【０００２】
本発明は通信に関する。特に、本発明は、非同期無線通信システムにおいてアイドルモード再捕捉およびハンドオフを行う新規で改良された方法および装置に関する。
【０００３】
【従来の技術】
一般的な無線通信システムにおいて、遠隔端末は散発的にのみアクティブである。例えば、セルラ電話機は、通話が行われていないときは長時間アイドル状態のままである。しかしながら、遠隔ユニットに向けられた任意のメッセージを確実に受信するために、遠隔ユニットはアイドル状態中であっても通信チャネルを周期的にモニタしている。基地局によって送信されたメッセージには、到来通話の存在を遠隔端末に通知するメッセージおよび、遠隔端末のシステムパラメータを更新するメッセージが含まれていてもよい。
【０００４】
アイドルモード時でも、遠隔端末は電力を消費し続け、基地局からの信号をモニタするのに必要な回路を維持している。（例えば、セルラ電話機のような）多くの遠隔端末は携帯可能であり、内部バッテリによって電力が供給されている。アイドルモード時の遠隔端末の電力消費は利用可能なバッテリリソースを低下させ、よって、バッテリの再充電の間の“スタンバイ”時間や、通話をかけたり受けたりする“通話”時間が短くなる。したがって、アイドル状態における遠隔端末の電力消費を最小限にし、これによりバッテリ寿命を延長することが強く望まれる。
【０００５】
アイドルモード時に動作している遠隔端末の電力消費を減らす１つ技術では、遠隔端末は周期的に“アクティブ”状態に入る。このアクティブ状態の間、遠隔端末は、以前通信を確立したことのある基地局（すなわち、アクティブセットにおける基地局）からのメッセージをページングチャネル上で受信することができる。ページングチャネルは番号付けされた“フレーム”（例えば、フレーム０から１０２３）に分割されることができ、遠隔端末は基地局によって１つ以上のフレームに割り当てられてもよい（フレームは、他のＣＤＭＡシステムにおいては、“スロット”または“時間フレーム”として呼ばれることもある）。その後、遠隔端末は、割り当てられたフレームより前に“非アクティブ”状態からウェイクアップし、メッセージに対するページングチャネルをモニタし、追加的な通信が要求されていなければ非アクティブ状態に戻る。連続するアクティブ状態間の時間期間においては、遠隔端末は非アクティブ状態であり、基地局は遠隔端末に何らメッセージを送信しない。非アクティブ状態では、可能な限りの回路が節電のためパワーダウンしている。
【０００６】
非アクティブ状態（あるいは電力セービングモード）に入る前に、遠隔端末は自身の存在を“好適な”基地局に伝える。この基地局はしばしば“サービングセル”としても参照される。一般的に好適基地局とは、遠隔ユニットにより測定された最も強いパイロット信号を有する基地局である。アクティブ状態時に、遠隔ユニットは好適基地局のパイロット信号強度と隣接基地局のパイロット信号強度とを測定する。遠隔ユニットが好適基地局のカバーレッジエリアから隣接基地局のカバーレッジエリアに移動した場合、遠隔ユニットは隣接基地局に通信を“ハンドオフ”する必要がある。ハンドオフが生じると、隣接基地局は新しい好適基地局として割り当てられる。
【０００７】
好適基地局のパイロット信号は、一般的に、遠隔ユニットが非アクティブ状態に入るときに、測定された隣接基地局の任意のもののパイロット信号よりも強い。したがって、次のアクティブ状態に入る時、遠隔ユニットは好適基地局をモニタする。しかしながら、遠隔ユニットが非アクティブ状態にある間に、遠隔ユニットは好適基地局のカバーレッジエリアから隣接基地局のカバーレッジエリアに移動してしまうかもしれない。遠隔ユニットが非アクティブ状態のときは、好適基地局の信号強度も隣接基地局の信号強度もモニタしていない。さらに、隣接基地局の信号が強度を増して、好適基地局の信号強度よりもハンドオフを生じさせるくらい十分に強くなったとしても、遠隔ユニットは非アクティブ状態にある間はハンドオフを実行しない。
【０００８】
したがって、遠隔ユニットがアクティブ状態に戻るとき、遠隔ユニットは“最適な”基地局をモニタしていないかもしれない。実際、好適基地局からの信号強度は遠隔ユニットがそのような好適基地局から送信された情報を適切にデコードすることができないくらいに非常に低い可能性があり、遠隔端末に向けられた重要なページを逃してしまうかもしれない。最適な基地局をモニタするために、遠隔端末は好適基地局およびいくつかの候補隣接基地局を測定して、遠隔端末の割り当てられたページ時間の前に、必要があれば強い隣接基地局にハンドオフする。
【０００９】
ＩＳ−９５ＣＤＭＡシステムのような同期通信システムに関しては、システム内のすべての基地局のタイミングは整列されている。したがって、遠隔端末は、複数の基地局によって、同一の時間整列されたフレームに割り当てられることが可能である。遠隔端末の観点からは、割り当てられるページ時間は、同期通信システム内の隣接基地局に対するものと好適基地局に対するものとは同一である。好適基地局のタイミングを知ることによって、遠隔端末は好適基地局と同様に隣接基地局でも割り当てられるページ時間を決定することができる。自身のタイミングを好適基地局のタイミングと同期させることによって、遠隔端末は自動的に自身のタイミングを隣接基地局のタイミングと同期させる。したがって、遠隔端末がそれまでの好適基地局上で割り当てられているページ時間より前に隣接基地局にハンドオフすることができれば、遠隔端末は、隣接基地局においてオンタイムで割り当てられたページ情報をデコードすることができる。
【００１０】
【発明が解決しようとする課題】
新世代ワイヤレス通信システムには同期していないものもあり、基地局のタイミングは（よってフレームも）整列されていない。基地局間の非同期タイミングの結果、割り当てられたページ時間は、遠隔端末の観点からみると、基地局毎に異なる可能性がある。好適基地局のタイミングおよび割り当てられるページング時間を知ることによっては、遠隔端末は一般的に隣接基地局上で割り当てられたページング時間を決定することはできない。遠隔端末が隣接基地局のカバーレッジエリアに移動した場合、遠隔ユニットは自身のタイミングをこの隣接基地局のタイミングと同期させて、この基地局から送信された情報をデコードする必要がある。したがって、遠隔端末がウェイクアップして好適基地局のページング情報をデコードしようとしたが、カバーレッジエリアの変更によって隣接基地局へのハンドオフをすることになってしまう場合、遠隔端末は隣接基地局の割り当てられたページング時間を完全に逃し、よって重要なページング情報を逃してしまうかもしれない。
【００１１】
以上より、非同期ワイヤレス通信システムにおいてアイドルモードの再捕捉およびハンドオフを行う方法および装置に対する技術的な必要性がある。
【００１２】
【課題を解決するための手段】
本発明は、非同期ワイヤレス通信システムにおいてページングチャネルを効率的に処理するさまざまな技術を提供する。本発明の１つの観点にしたがうと、基地局が互いに同期しておらず、（遠隔端末の観点から見て）遠隔端末の割り当てられたページング時間が基地局毎に異なっている場合、遠隔端末は、（遠隔端末の観点から見て）“再捕捉検索”リスト中の最も早い基地局に基づいてウェイクアップする。このリストには、好適基地局と同様に、次のウェイクアップインターバルで遠隔端末がハンドオフされる可能性のある隣接基地局が含まれる。これにより、遠隔端末は再捕捉検索および再捕捉ハンドオフを実行し、ページの喪失を避けることができる。
【００１３】
本発明の別の観点にしたがうと、再捕捉検索リスト用の基地局を選択する基準は、基地局のタイミングと同様に基地局の測定された信号強度に基づいていてもよい。これらのいずれも好適基地局のタイミングや強度に対してなされていてもよい。１つの実施形態において、遠隔端末の観点から、隣接基地局のタイミングが好適基地局のタイミングと非常に近接している場合、および隣接基地局の信号が非アクティブ状態に入る前に十分に強いと測定される場合には、この隣接基地局は好適基地局とともに再捕捉検索リストに追加される。次に予定されるウェイクアップ時間（すなわち、アクティブ状態）は、該リスト中の好適基地局および隣接基地局のうち最も早いものに基づく。この方法で好適基地局および隣接基地局は検索され、評価され、最大強度を持つ信号を有する基地局からのページング情報が次のアクティブ状態でデコードされる。
【００１４】
そうでなく、隣接基地局のタイミングが好適基地局のタイミングの近接外にある場合、および隣接基地局の信号が非アクティブ状態に入る前に好適基地局よりも十分に強いと測定される場合には、この隣接基地局は好適基地局とともに再捕捉検索リストに追加される。しかしながら、次に予定されるウェイクアップ時間（すなわちアクティブ状態）は、隣接基地局のページングチャネルタイミングに基づく。この場合、この隣接基地局および好適基地局は次のアクティブ状態で検索され、評価される。隣接基地局がいまだに好適基地局よりも十分強い場合、この隣接基地局は新しい好適基地局となり、この基地局からのページング情報がデコードされる。しかしながら、隣接基地局がもはや好適基地局よりも十分に強くない場合、遠隔端末はどのページング情報もデコードしない。代わりに、遠隔端末は即座に非アクティブ状態に入り、次のアクティブ状態で好適基地局の再捕捉およびデコーディングの準備をする。
【００１５】
好適基地局とのタイミング関係にしたがって隣接基地局を異なるカテゴリに分類することによって、遠隔端末がアクティブ状態でなければならない時間を減少させることができる。これにより、重要なページング情報を失うことなく遠隔端末のスタンバイ時間を改善することができる。
【００１６】
本発明のさらに別の観点にしたがうと、好適基地局および強い隣接基地局（ハンドオフ候補）が互いにタイミング近接外にある場合、遠隔端末は特定のページングサイクル（すなわち、ＤＲＸサイクル）で複数回ウェイクアップすることができる。隣接基地局が１組の基準を満たす場合、隣接基地局はハンドオフ候補として識別されてもよい。この基準は、基地局のエネルギ測定値および再選択タイマ値に基づいていてもよく、以下でより詳細に説明される。
【００１７】
本発明のさまざまな観点、実施形態、および特徴が以下でより詳細に説明される。
【００１８】
【発明の実施の形態】
本発明の機能、特質および利点は、後述の詳細な説明が符合する参照符号が全体を通じて識別している図面とともに理解されれば、より明らかになるだろう。
【００１９】
図１は、多数の基地局を有し、多数のユーザをサポートするワイヤレス通信システム１００を示す図である。システム１００には、多数の基地局１０４（簡明にするため、図１には３つの基地局のみが示されている）が含まれ、各基地局は特定のカバーレッジエリア１０２を提供している。基地局およびそのカバーレッジエリアはしばしば集合的にセルとして呼ばれる。
【００２０】
多数の遠隔端末１０６は一般的にシステム全体にわたって分散している（簡明にするため、図１には１つの端末のみが示されている）。各遠隔端末１０６は、アクティブモード時ではいつでも、遠隔端末がソフトハンドオフ状態にあるかどうかによって、フォワードリンクおよびリバースリンクで１つ以上の基地と通信することができる。アイドルモード時では、遠隔端末は一般的に一度に１つの基地局とのみ通信する。
【００２１】
図１に示す例では、基地局１は遠隔端末１０６に対して好適基地局（しばしばサービングセルとして参照される）であり、基地局２および基地局３は基地局１の隣接基地局である。好適基地局とは一般的に、その基地局の信号が遠隔端末によって最も強く受信される基地局である。一般的に遠隔端末は、最も強い信号を持つ基地局、すなわち好適基地局からページング情報を受信するように期待される。
【００２２】
図２は、同期通信システムにおける３つの基地局のページングチャネルの具体的な構成およびタイミングの関係を示す図である。ページングチャネルは一般的にワイヤレス通信システムにより採用され、ページングメッセージまたは制御メッセージを遠隔端末に送信する。図２に示すページングチャネルの構成は、典型的には“第三世代パートナーシッププロジェクト”（３ＧＰＰ）と名付けられた団体によって提案され、ドキュメントナンバー３Ｇ ＴＳ ２５．２１１， ２５．２１２， ２５．２１３， ２５．２１４， ２５．１３３， ２５．３０５， ２５．３３１， ３Ｇ ＴＲ ２５．９２６を含む１組のドキュメントで具現化される標準規格（以下、Ｗ−ＣＤＭＡ標準規格という）に準拠しており、この規格はここに参照により取り込まれる（しかしながら、Ｗ−ＣＤＭＡ標準規格はページングチャネルの同期を規定しない）。
【００２３】
図２に示す構成において、ページングチャネルはＤＲＸ（不連続受信モード）サイクルに仕切られており、各ＤＲＸサイクルには多数のフレーム（例えば、１０２４個のフレーム）が含まれる。各フレームは特定の時間インターバル（例えば、１０ミリ秒）をカバーし、各ＤＲＸサイクル中のフレームは連続した番号が付けられている（例えば、フレーム０からフレーム１０２３まで）。図２に示す具体例において基地局は同期し、これら３つの基地局すべてに対するＤＲＸサイクルは、互いに時間整列されている。遠隔端末でもＤＲＸサイクルはほぼ整列されており、任意の時間オフセットは主に基地局から遠隔端末への送信時間の差による。図２のＤＲＸサイクルおよびフレームは、他のスロッテッドモードのページング構成（例えば、ＩＳ−９５ＣＤＭＡシステム）におけるスロットサイクルおよびスロットとそれぞれ対応する。
【００２４】
図３は、Ｗ−ＣＤＭＡ標準規格により規定されるような、図２に示すページングチャネル構造に対するページングインジケータフレームの具体的な構成およびタイミングの関係を示す図である。この構成においてフレームは３００ビットを有し、そのうち２８８ビットは１４４ページインジケータまでの送信のために用いることができる。遠隔端末は、遠隔端末の識別番号のような多数のパラメータに基づいて、ＤＲＸサイクル内の特定のページインジケータに割り当てられる。各ページインジケータは、フレームに含まれるページインジケータの数に応じて１フレームに２ビットから１６ビットをカバーする。
【００２５】
再び図２を参照すると、遠隔端末は節電のため、各ＤＲＸサイクル中の特定のフレーム内の特定のページングインジケータに割り当てられる。ページングインジケータ（例えば、“１”と設定した場合）は、関連チャネルの対応するフレームを処理してページング情報を受信するよう遠隔端末に指示する。図２に示す例において、遠隔端末はフレーム７のページインジケータに割り当てられる。遠隔端末がアイドル状態の間、遠隔端末は、その割り当てられたページングインジケータ付近の“ウェイクアップ”時間期間を除くほとんどの時間、非アクティブ状態のままである。非アクティブ状態において、遠隔端末内の回路（例えば、電源増幅器など）のいくつかは、節電のためにパワーダウンしていてもよい。
【００２６】
割り当てられたページングインジケータより以前に、遠隔端末は非アクティブ状態からアクティブ状態に遷移して、割り当てられたページインジケータを処理する。前もってパワーダウンされていた回路をパワーアップして、ウォームアップおよび整定できるようにするためには一定時間が必要とされる。この遷移期間後遠隔端末はアクティブ状態に入り、再捕捉検索リストに含まれる基地局の信号の強度を測定する。このリストには、現在の好適基地局および、一定の条件が適合すれば遠隔端末がハンドオフされる隣接基地局が含まれる。割り当てられたフレームの指定された時間（図２において垂直破線で示されている）において、遠隔端末は、ページ情報が遠隔端末に送信されたかどうかを示すために、好適基地局のページングチャネルのページインジケータを復調する。
【００２７】
非アクティブ状態の間に、遠隔端末が別のサービスエリアに移動しているか、あるいは通信リンク（又は信号パス）が変化しているかもしれない。そこで、次の非アクティブ状態に入る前に、遠隔端末はアクティブ状態での処理の一部として、再捕捉検索リスト中の基地局に加えて隣接基地局の検索を実行する。検索結果に基づいて遠隔端末は新しい再捕捉リストを構築する。このリストには、好適基地局とその隣接基地局が含まれ、これらの隣接基地局は次のウェイクアップインターバルでの可能性のあるハンドオフの対象である。ウェイクアップインターバルには遷移期間および遠隔端末がアクティブ状態である時間（すなわち、連続する非アクティブ状態間の時間）が含まれる。
【００２８】
図２に示すように、同期システムに対して、基地局のタイミングは整列され、ページングチャネルに対するＤＲＸサイクルの開始もまた時間整列される。よって、基地局が同一のＤＲＸサイクル長を有している限り、すべての基地局から遠隔端末に対して割り当てられたページングインジケータもまた時間整列されている。遠隔端末はＤＲＸサイクル毎にウェイクアップし、そのときにそれらの基地局のうち任意のものからのページインジケータを復調する。
【００２９】
図４は、非同期システムにおける３つの非同期基地局のページングチャネルの具体的な構成を示す図である。この構成でもページングチャネルはＤＲＸサイクルに仕切られており、各ＤＲＸは多数の（例えば、１０２４個の）フレームを含んでいる。しかしながら、この構成では基地局のタイミングは同期しておらず、その結果、各基地局に対するＤＲＸサイクルの開始は時間中の任意の地点で生じうる。このような非同期システムの１つはＷ−ＣＤＭＡ標準規格によって規定されている。Ｗ−ＣＤＭＡシステムにおいて、各基地局はシステムフレーム番号（ＳＦＮ）に基づいて送信し、隣接基地局のＳＦＮは好適基地局のＳＦＮと同期していなくともよい。
【００３０】
図４に示す例において、基地局１は好適基地局（すなわち、サービングセル）であり、基地局２と基地局３は隣接基地局である。遠隔端末が好適基地局のタイミングを自身のタイミング基準として利用すると、隣接基地局２に対するＤＲＸサイクルの開始（Ｔ２）は、好適基地局１に対するＤＲＸサイクルの開始（Ｔ１）に先行する短い期間（Ｔ２１）であり、隣接基地局３に対するＤＲＸの開始（Ｔ３）は、好適基地局１に対するＤＲＸサイクルの開始（Ｔ１）よりも後の長い方の期間（Ｔ１３）である。
【００３１】
非同期システムのタイミングのせいで、好適基地局および隣接基地局によって遠隔端末に割り当てられたページインジケータが時間整列されることはなく、実際、時間中の任意の地点で生じる可能性がある。遠隔端末は、再捕捉検索リスト中のＮ個の基地局のうちの各基地局の、割り当てられたページングインジケータの前にウェイクアップするよう設計されてもよい。より非効率的なケースでは、割り当てられたフレームがオーバーラップしていない場合、遠隔端末はＤＲＸサイクル毎にＮ回もウェイクアップする必要があるだろう。これは同期システムのＮ倍にもなる。遠隔端末が非同期基地局からのページングチャネルを処理する一方で、アクティブ状態時の時間を減少させることのできるより効率的なスキームが強く望まれる。
【００３２】
本発明は、さまざまなスキームを提供して、非同期ワイヤレス通信システムにおけるページングチャネルの効率的な処理を行う。本発明の１つの観点にしたがうと、基地局が互いに同期しておらず、遠隔端末の指定されたページ時間が基地局毎に異なる場合、遠隔端末は再捕捉検索リスト中の最も早い基地局に基づいてウェイクアップする。これにより、遠隔端末は再捕捉検索および再捕捉ハンドオフを実行しページの喪失を避けることができる。
【００３３】
本発明の別の観点にしたがうと、再捕捉の対象として評価するために基地局を選択する基準は、基地局の受信電力と同様にそのタイミングにも基づいていてもよい。これらのどちらも、好適基地局の受信電力やタイミングに対して作られてもよい。１つの実施形態において、遠隔端末の観点からみると、隣接基地局のタイミングが好適基地局のタイミングと非常に近接している場合、および非アクティブ状態に入る前に隣接基地局の信号が十分に強く測定された場合、この隣接基地局は第１の（より緩やかな）組の基準に基づいて、好適基地局の指定されたページングインジケータ時間付近の、次のウェイクアップインターバルでの再捕捉ハンドオフの評価が検討されるかもしれない。そうでなく、隣接基地局のタイミングが好適基地局の時間近接外であり、別の（異なる）時間にウェイクアップするよう遠隔端末に要求している場合、この隣接基地局は、第２の（より厳しい）組の基準に基づいて、指定されたページングインジケータ時間において評価されてもよい。これにより、遠隔端末がアクティブ状態でなければならない時間を減らすことができる。これは、遠隔端末のスタンバイ時間を改善する一方で重要なページング情報の喪失を避けることにつながる。
【００３４】
本発明のさらに別の観点にしたがうと、遠隔端末は、好適基地局および強い隣接基地局（ハンドオフ候補）が互いに時間近接外にある場合、特定のＤＲＸサイクルで複数回ウェイクアップすることができる。隣接基地局は、１組の基準を満たせばハンドオフ候補として識別されてもよい。この１組の基準は、これについては以下でより詳しく説明されるような、基地局のエネルギ測定および再選択タイマ値に基づいていてもよい。
【００３５】
Ｗ−ＣＤＭＡシステムについて、再選択タイマは、基地局からの受信電力の変動により複数の基地局間で遠隔端末が連続的にハンドオフするのを避けるために用いられる。隣接基地局からの受信電力が要求電力レベルよりも大きい（例えば、好適基地局の受信電力よりも、場合によっては特定のマージンだけ大きい）と判断される場合、この隣接基地局に対する再選択タイマがリセットされ、遠隔端末は引き続き隣接基地局からの電力を測定する。システムによって規定される特定の時間期間、基地局の受信電力が要求電力レベルよりも連続的に大きい場合にのみ、遠隔端末はこの隣接基地局にハンドオフされる。この時間は、Ｗ−ＣＤＭＡ標準規格では再選択時間として呼ばれる。
【００３６】
遠隔端末は一般的に、可能性のあるハンドオフ候補である隣接基地局のそれぞれに対して再選択タイマを保持する。再選択タイマの値は、基地局が要求電力レベルよりも大きい電力で受信されていた時間を示す。１つの実施形態では、再選択タイマは、非アクティブ状態に入る直前に遠隔端末によって更新され、タイマに記憶されている値は次のウェイクアップインターバルでの時間値を反映する。これは、次の非アクティブ状態の間に、基地局が要求パワーレベルより上で受信されることを仮定する。
【００３７】
現在のウェイクアップインターバルでの優先検索中に新しい隣接基地局が要求電力レベルよりも強いことが見出された場合、その隣接基地局に対する再選択タイマは特定の値に初期化される。非アクティブ状態時では、遠隔端末はどの基地局信号も測定しないので、隣接基地局の信号が好適基地局の信号よりも十分に強い時の正確な時間は分からない。そこで、再選択タイマは、最後のウェイクアップインターバルからの時間の２分の１の時間期間（すなわち、ＴＩＰ＿ＬＡＳＴ／２）に初期化される。これは、いつそのようなイベントが生じ得たかという統計的平均を示す。代替的に、再選択タイマはゼロまたは他の値に初期化されてもよい。
【００３８】
上述のように、現在のアクティブ状態で隣接基地局に対して計算された再選択タイマの値は、次のウェイクアップインターバルでの時間値を表す。１つの実施形態において、隣接基地局のタイミングが好適基地局（例えば、図４の基地局２）の時間近接内にあれば、この基地局に対する再選択タイマ用の初期値は、次のウェイクアップインターバルまでの時間期間（すなわち、ＴＩＰ＿ＮＥＸＴ）によりさらに更新されてもよい。別の実施形態では、隣接基地局のタイミングが好適基地局（例えば、図４の基地局３）の時間近接外にあれば、この基地局に対する再選択タイマ用の初期値は、この基地局と好適基地局との時間差だけ増加してもよい。例えば、基地局３が、現在のウェイクアップインターバルで初めて、要求電力レベルより上で受信された場合、基地局３に対するタイマはＴＩＰ＿ＬＡＳＴ／２＋Ｔ１３（ＴＩＰ＿ＬＡＳＴ／２＋ＴＩＰ＿ＮＥＸＴではない）に初期化されてもよい。なぜなら、遠隔端末はＴ３でウェイクアップして、基地局３に対するページインジケータ（Ｔ１ではない）を処理することが必要だからである。この追加的な量（すなわちＴ１３）は、遠隔端末が、指定された時間（例えば、Ｔ３）で、この隣接基地局に対するページインジケータに対してウェイクアップするかのような時間を示す。
【００３９】
現在のウェイクアップインターバルでは要求電力レベルに達しなかったが、次のウェイクアップインターバルまでにこのレベルに達すると予想され、好適基地局の接近したタイミング近接内にある新しい隣接基地局に対して、この基地局に対する再選択タイマは、次のウェイクアップインターバルまでの時間期間の２分の１に初期化される（すなわち、ＴＩＰ＿ＮＥＸＴ／２）。
【００４０】
より早いウェイクアップインターバルで優先リストに追加されており、現在のウェイクアップインターバルで要求電力レベルより大きい電力で受信されている各隣接基地局について、この基地局に対する再選択タイマは、次のウェイクアップインターバルまでの時間期間（すなわち、ＴＩＰ＿ＮＥＸＴ）により更新される。
【００４１】
１つの実施形態において、遠隔端末は非アクティブ状態に入る前に再捕捉検索リストを構築する。この再獲得検索リストには、好適基地局（現在のサービングセル）と、次のウェイクアップインターバルでハンドオフ候補となる可能性のある隣接基地局とが含まれる。再捕捉検索リストには、システムによって規定された再選択時間を超える更新された再選択タイマ値を有する優先リストからの隣接基地局が含まれる。１つの実施形態において、再捕捉検索リストに含めるために隣接基地局を選択する基準はさらに、隣接基地局のタイミングと隣接基地局の受信電力とに基づく。
【００４２】
図４に示す例に戻ると、時間期間Ｔ２１が十分小さく、特定の時間ウィンドウ（ＴＷＩＮＤＯＷ）内にあるので、遠隔端末は基地局２が好適基地局１の時間近接内にあると判断する。特定の実施形態において、時間ウィンドウは遷移期間の２倍の長さで規定されてもよく、その期間は、回路をパワーオンし、遠隔端末が検索を実行できるようにする機能を初期化するために必要であるが、他のウィンドウ期間もまた用いられてもよい。基地局２が好適基地局１の時間近接内にあるので、緩やかな組の基準に基づいて次のウェイクアップインターバルに対する再捕捉検索リストに基地局２を加えてもよい。例えば、次のウェイクアップインターバルに対して更新された基地局２の再選択タイマの値が、規定された再選択時間より大きいか等しい場合には、遠隔端末での受信電力が特定のしきい値レベルよりも大きい限り、基地局２が再捕捉検索リストに加えられていてもよい。この特定のしきい値レベルは、要求電力レベルよりも低く設定される。
【００４３】
図４に示す例において、好適基地局１と基地局３との間の時間期間Ｔ１３は時間ウィンドウを超え、基地局３が好適基地局１の時間近接内にあるとは判断されない。よって、基地局３が再捕捉検索リストに追加される前に、より厳しい組の基準が基地局３に適用されてもよい。例えば、再選択タイマ値を規定された再選択時間より大きいか等しくするよう要求することに加えて、基地局３からの受信電力が要求電力レベルを超える（例えば、好適基地局１に対する受信電力よりも強く、場合によっては一定のマージンだけ強い）よう要求してもよい。
【００４４】
上述に基づき、基地局２は好適基地局１の時間近接内にあるので、基地局２がより緩やかな組の基準を満たすことができる場合には好適基地局１とともに再捕捉検索リストに置かれてもよい。そして、基地局３は好適基地局１の時間近接内にないので、基地局３がより厳しい組の基準を満たす場合には、再捕捉検索リストに加えられてもよい。基地局３がハンドオフ候補として識別される場合、遠隔端末は１つのＤＲＸサイクルで１回より多くウェイクアップすることができる。この時、基地局１と基地局３が評価されてもよい。基地局１が基地局３よりもより良く受信されると再び判断された場合、遠隔端末は引き続き好適基地局として基地局１を選択する。そうでなければ、遠隔端末は基地局３を新しい好適基地局として選択し、基地局３に対するページインジケータを復調する。
【００４５】
図５は、本発明の実施形態にしたがった、非同期システムにおける多数の基地局からのページングチャネルを処理する図である。まず、前回のアクティブ時間期間（ブロック４１６）内で、スリープサイクル（ブロック４２２）に入る前に、基地局２は、受信電力が要求電力レベルより下であったとしても、遠隔端末によって、（例えば、前回の電力測定から予想された基地局２に対する受信電力に基づいて）可能性のあるハンドオフ候補として評価されるために十分であると識別される。その後、遠隔端末は、基地局２に対する再選択タイマを次の非アクティブ時間期間の２分の１として計算する（すなわち、ＴＩＰ１／２）。図５で示す例に関して、再選択時間はＴＩＰ１／２より短く指定されており、基地局２の時間値は規定された再選択時間よりも大きいので、基地局２は再捕捉検索リストに追加される。
【００４６】
好適基地局１によって割り当てられたフレームに対する、次のウェイクアップインターバルより前に、遠隔端末はウェイクアップし、遷移期間を経て（ブロック４２４）、アクティブ状態に入る（ブロック４２６）。遠隔端末はその後、時間期間ＴＣＲ１の間に再捕捉検索リスト中の基地局の再捕捉を実行する。このリストには、基地局１および基地局２が含まれる。この例において、基地局１は基地局２よりも良く受信されると判断される。よって、遠隔端末は基地局１を好適基地局のままにし、図５に示すように、指定されたＴ１で開始する、基地局１に対するページインジケータを復調する。基地局２が基地局１よりも良く受信されると判断されていた場合、遠隔端末は基地局２にハンドオフされ、指定された時間Ｔ２で基地局２に対するページインジケータを復調する。基地局２の受信電力が特定の選択解除しきい値レベル（例えば、上述の低い方のしきい値レベルであってもよい）より低い場合、基地局２に対する再選択タイマはリセットされ、基地局２は再捕捉検索リストから削除されてもよい。
【００４７】
再捕捉検索リストの基地局が再捕捉された後、遠隔端末は時間期間ＴＰＳ１で新しい隣接基地局について優先検索を実行する。この例において、基地局３は遠隔端末に対するハンドオフ候補として識別されているが、そのタイミングは好適基地局１の時間近接外にあると判断されている。そこで、基地局３に対する再選択タイマは、最後の非アクティブ時間期間の２分の１にＴ１３を加えたものとして計算される（すなわち、ＴＩＰ１／２＋Ｔ１３）。再び説明すると、ＴＩＰ１／２＋Ｔ１３は規定された再選択時間よりも大きいので、基地局３は再捕捉検索リストに加えられる。そして、基地局３に対するページインジケータが好適基地局１に対する次のページインジケータよりも早いので、遠隔端末はこのＤＲＸサイクルにおける第２の時間でウェイクアップして、基地局３に対するページインジケータを処理するよう予定する。
【００４８】
基地局１に対するページインジケータを復調した後、遠隔端末はスリープサイクルに入る（ブロック４３２）。基地局３によって割り当てられたフレームに対する次のウェイクアップインターバルより前に遠隔端末はウェイクアップし、遷移期間を経て（ブロック４３４）、アクティブ状態に入る（ブロック４３６）。その後、遠隔端末は、時間期間ＴＣＲ２で再捕捉検索リストの基地局の再捕捉を実行する。このリストには、基地局１および基地局３が含まれる。この例において、基地局３は好適基地局１よりも良く受信されたと判断されている。よって、遠隔端末は基地局３にハンドオフされ、その後、図５に示すように、指定された時間Ｔ３で開始する基地局３に対するページインジケータを復調する。遠隔端末は時間期間ＴＰＳ２で新しい隣接基地局に対する優先検索も実行する。その後、遠隔端末は隣接基地局に対する再選択タイマを更新し、次のウェイクアップインターバルに対する再捕捉検索リストを構築し、スリープサイクルに入る（ブロック４４２）。
【００４９】
図６は、本発明の実施形態にしたがった、非同期ワイヤレス通信システムにおけるページングチャネルを処理するためのオーバーオールプロセス５００のフローチャートである。まず、ステップ５１０で、遠隔端末は現在のアクティブ状態中に再捕捉検索リストにおける基地局を再捕捉し、新しい隣接基地局を検索し、検索された基地局を評価する。評価には、基地局に対する受信電力およびそのタイミング（例えば、基地局に対するＤＲＸサイクルの開始）の設定が含まれていてもよい。一般的に遠隔端末はまた、このウェイクアップインターバルにおいて好適基地局に対するページインジケータを復調する。
【００５０】
ステップ５１２で、遠隔端末はスリープサイクルに入る前に１組の基準に基づいて次のウェイクアップインターバルに対する再捕捉検索リストを構築する。本発明の１つの観点にしたがうと、この１組の基準はここに説明するような基地局に対する受信された電力とそのタイミングに基づいている。別の観点によると、１組の基準は基地局に関連する再選択タイマにさらに基づいている。
【００５１】
ステップ５１４で、遠隔端末は再捕捉検索リストの構築とともに再捕捉検索リスト中の基地局に基づいて次のウェイクアップまでの時間も決定する。次のウェイクアップインターバルは、現在の好適基地局または、遠隔端末がハンドオフされる可能性のある候補基地局に対するものである。遠隔端末に対する次のスリープサイクル（すなわち、非アクティブ時間期間）は、遠隔端末が再捕捉検索リスト中の最も早い基地局のページインジケータを復調するのに十分なくらい早く、アクティブ状態に遷移するよう選択される。一般的にステップ５１２およびステップ５１４はともに実行され、以下でより詳細に説明される。
【００５２】
現在のウェイクアップインターバルについて必要な処理が完了した後、遠隔端末はステップ５１６で非アクティブ（すなわち、スリープ）状態に入る。遠隔端末は、同じくステップ５１６で以前規定されたウェイクアップ時間でウェイクアップし、遷移期間を経てアクティブ状態に入る。
【００５３】
ステップ５１８で、遠隔端末は、アクティブ状態において再捕捉検索リスト中の基地局を検索して評価する。同じくステップ５１８で、遠隔端末は評価結果に基づいて、新しい基地局が新しい好適基地局として選択されてもよいかどうかを判断する。ステップ５１８で、遠隔端末はハンドオフ候補となる可能性のある新しい基地局も検索する。現在の好適基地局（この好適基地局は、新しく選択された好適基地局であるかもしれない）の割り当てられたページングインジケータが現在のウェイクアップインターバル内にある場合、遠隔端末はステップ５２０で、この好適基地局に対するページングインジケータを復調する。
【００５４】
図７は、再捕捉検索リストを構築するプロセスの実施形態のフローチャートであり、図６のステップ５１２を実現する。まず、ステップ６１０で、遠隔端末は次のウェイクアップインターバルに対する再捕捉検索リストを構築し、このリストに現在の好適基地局を含める。次に、サービング基地局または隣接基地局が検索され評価された後、ステップ６１２で“強い”隣接基地局のリストが生成される。隣接基地局が強いと考えられるかどうかを判断するために、さまざまなテストが用いられてよい。例えば、隣接基地局の受信電力が要求電力レベルよりも大きい（例えば、好適基地局の受信電力よりも強い、場合によってはあるマージンだけ強い）場合、その隣接基地局は強いと考えられる。強い隣接基地局を分類するために別のテストも用いられてよく、これらも本発明の範囲内である。
【００５５】
ステップ６１４で、リスト中に任意の強い隣接基地局があるかどうかの判断がなされる。強い隣接基地局のリストが空である場合、プロセスはステップ６３２に進む。そうでなければ、ステップ６１６で、リスト中の強い隣接基地局はそれぞれのタイミングに基づいてソートされる。このソートは、各基地局に対するページインジケータを決定し、これらのページングインジケータのタイミングに基づいて時間の経過順に基地局を配列することによって達成されてもよい。図５に示す例について、そのリストは時間の経過順に基地局２および基地局３を含んでいてもよい。
【００５６】
各強い隣接基地局に対する再選択タイマは、その後、ステップ６１８で計算されるか、あるいは更新される。上述のように、いくつかのワイヤレス通信システム（例えば、Ｗ−ＣＤＭＡシステム）について、隣接基地局からの受信電力が、再選択時間として呼ばれる特定の時間期間の間に、好適基地局からの受信電力を超えない限り、現在の好適基地局から別の隣接基地局に遠隔端末はハンドオフされない。この設計をサポートするために、リスト中の強い隣接基地局のそれぞれは、再選択タイマと関連づけられていてもよく、このタイマは、基地局からの受信電力が好適基地局からの受信電力を超えていた時間の記録をとる。上述の構成について、再選択タイマの値は、次のウェイクアップインターバルでは、隣接基地局からの受信電力が好適基地局からの受信電力を超えてしまっているだろうということを示す。
【００５７】
現在のウェイクアップインターバルで、強い隣接基地局がちょうどリストに追加された場合、その隣接基地局に対する再選択タイマは特定の初期値に初期化されてもよい。１つの実施形態においては、その初期値は上述のようにページインジケータのタイミングおよび最後の非アクティブ時間期間に基づく。
【００５８】
強い隣接基地局が、現在のウェイクアップインターバルの優先隣接基地局検索中に初めて要求電力レベルを超えて受信されれば、初期タイマ値は、最後の非アクティブ時間期間の２分の１に次の非アクティブ時間期間を足したものとして更新されてもよい（例えば、アクティブ状態４２６中で見出された場合には、図５の基地局３については、ＴＩＰ１／２＋Ｔ１３であり、あるいは、アクティブ状態４２６中で見出された場合には、図５の基地局２については、ＴＩＰ１／２＋ＴＩＰ１である）。好適基地局の接近したタイミング近接内にある隣接基地局が、要求電力レベルより下で受信されているが、次のウェイクアップインターバル中では、ハンドオフ候補として十分強い電力レベルを持つ場合には、隣接基地局に対する初期再選択タイマ値は、次の非アクティブ時間期間の２分の１で更新されてもよい（例えば、アクティブ状態４２６中で見出された場合には、図５の基地局２についてはＴＩＰ１／２）。遠隔端末はその後、ステップ６２２で再捕捉検索リストに含まれる可能性のある、“必要条件を備えた”隣接基地局のリストを決定する。必要条件を備えた隣接基地局とは、次のウェイクアップインターバルで遠隔端末がハンドオフされる可能性のある候補基地局である。１つの実施形態では、計算された再選択タイマ値がシステムによって規定された再選択時間よりも大きい場合、強い隣接基地局を必要条件を備えたものとして考えることができる。
【００５９】
その後、次のウェイクアップインターバルで処理されるべき隣接基地局が決定される。図５に示すように、遠隔端末は一般的にＤＲＸサイクル毎に１度ウェイクアップして、好適基地局に対するページインジケータを処理するが、好適基地局の時間近接外に位置するページインジケータを有するハンドオフ候補がある場合は、特定のＤＲＸサイクル中に複数回ウェイクアップしてもよい。
【００６０】
ステップ６２４で、最も早い必要条件を備えた隣接基地局のページインジケータが好適基地局の時間近接外にあるかどうかが判断される。その答えが「いいえ」であれば、次のウェイクアップインターバルは、好適基地局のタイミングと再捕捉リスト中の隣接基地局の小さなタイミング差との和に基づき、プロセスはステップ６３２に進む。そうでなく、最も早い必要条件を備えた隣接基地局基地局が好適基地局の時間近接外にある場合には、次のウェイクアップインターバルは最も早い必要条件を備えた隣接基地局のタイミングに基づく。これは、ステップ６２６で、最も早い必要条件を備えた隣接基地局を再捕捉検索リストに追加することによって達成されてもよい。その後、ステップ６２８で、すでに再捕捉検索リスト中にある必要条件を備えた隣接基地局の時間近接内に、次の必要条件を備えた隣接基地局があるかどうかが判断される（さらに、別の隣接基地局もこのリストに追加しうるかについても判断される）。その答えが「はい」であれば、ステップ６２６に戻って、次の必要条件を備えた隣接基地局も再捕捉検索リストに追加される。そうでなく、必要条件を備えた隣接基地局が時間近接内にないか、あるいは再捕捉検索リストがフルの場合には、プロセスはステップ６３８に進む。
【００６１】
ステップ６３２で開始した経路は、次のウェイクアップインターバルが好適基地局のタイミングに基づくのであれば逆行する。この場合、緩やかな組の基準を満たす隣接基地局は、上述のように再捕捉検索リストに含まれてもよい。したがって、ステップ６３２で、遠隔端末は“可能性のある”基地局のリストを生成する。可能性のある基地局は十分な電力で受信された隣接基地局であってもよく、この十分な電力は第１のしきい値レベルより上ではあるが要求電力レベルよりは下である。その後、遠隔端末はステップ６３４で、リスト中の可能性のある基地局のそれぞれに対する再選択タイマを計算する。
【００６２】
遠隔端末はステップ６３６で可能性のある隣接基地局と必要条件を備えた隣接基地局とを含め、これらは好適基地局の時間近接内にあり、システムによって規定された再選択時間よりも大きい計算された再選択タイマを持つ。したがって、この再捕捉検索リストには、好適基地局の時間近接内にあり、（例えば、強い隣接基地局と見なされるために必要な電力より受信電力が低いというような）より緩やかな組の基準を満たしている隣接基地局が含まれる。この再捕捉検索リストには、好適基地局の時間近接内にある必要条件を備えた隣接基地局もさらに含まれる。ステップ６３８で、遠隔端末は残りの隣接基地局を含む優先リストを構築する。この優先リストには、次のウェイクアップインターバルで評価されるが、（例えば、再選択タイマ値が規定された再選択時間より小さいために）ハンドオフ候補ではない基地局が含まれる。その後、再捕捉検索リスト構築プロセスは終了する。
【００６３】
遠隔端末が現在のウェイクアップインターバル中の基地局の処理を終了した後、遠隔端末は節電のためステップ５１６で非アクティブ状態に入る。ステップ５１６で、遠隔端末は前もって決定されたウェイクアップ時間でウェイクアップし、遷移期間を経て、その後、次のウェイクアップインターバルに対するアクティブ状態に入る。遠隔端末はその後、このウェイクアップインターバルに対する基地局処理の準備を整える。
【００６４】
図８は、次のウェイクアップインターバルにおける、再捕捉検索リスト中の基地局の検索結果に基づいた、ハンドオフ評価の実施形態を示すフローチャートである。まず、ステップ７１２で、遠隔端末は再捕捉検索リスト中の基地局を検索して評価する。その後、ステップ７１４で、再捕捉検索リスト中のどの隣接基地局が、もし有するとすれば、要求電力レベルを超える受信電力を有するかについての判断がなされる。そのような隣接基地局が１つ以上存在する場合、ステップ７１６で、遠隔端末は、例えば最も強い隣接基地局を新しい好適基地局として選択する。そうでなく、どの基地局も十分強くない場合には、ステップ７１８で、好適基地局のページインジケータが現在のウェイクアップインターバル内にあるかどうかが判断される。その答えが「いいえ」であれば、現在のウェイクアップインターバルは、好適基地局の時間近接外にあるハンドオフ候補基地局に対するものであることが示され、プロセスは終了する。そうでなければ、ステップ７２０で現在の好適基地局のページインジケータが復調される。この好適基地局は、ステップ７１６で選択されたばかりの新しい好適基地局か、以前からの好適基地局である。
【００６５】
図９は、本発明のさまざまな観点を実現することのできる遠隔端末１０６の実施形態の図である。フォワードリンク信号がアンテナ８１２で受信され、デュプレクサ８１４を通じてルーティングされ、ＲＦ受信（ＲＸ）ユニット８２０に提供される。ＲＦ受信ユニット８２０は、受信信号を調整（例えば、フィルタリング、増幅、さらにダウンコンバート）し、デジタル化して、サンプルを提供する。復調器８２２はそのサンプルを受け取り、処理（例えば、逆拡散、デカバー、パイロット復調）して、リカバーされたシンボルを提供する。復調器８２２は、１つ以上の基地局から受信した信号の複数のインスタンスを処理して合成されたリカバー済シンボルを生成するレイク受信機を構成してもよい。復調器８２２はページチャネルを処理してページインジケータを受信するよう設計されていてもよい。エンコードされたデータについて、受信データプロセッサ８２４は、リカバーされたシンボルをデコードし、受信フレームを検査し、出力データを提供する。復調器８２２および受信データプロセッサ８２４は、複数の基地局から受信した複数の送信（例えば、ページングチャネル）を処理するよう動作してもよい。
【００６６】
上述のように、再捕捉検索リスト中に含まれるべき基地局を決定するためにいくつかのパラメータが用いられる。１つの実施形態では、これらのパラメータには、好適基地局のタイミング、好適基地局および隣接基地局の受信電力、ならびに好適基地局のタイミングに対する隣接基地局のタイミングが含まれる。好適基地局および隣接基地局のタイミングは、復調器８２２内でデジタル化されたサンプルを処理し、それらのＤＲＸサイクルの開始を決定することによって得られてもよい。受信電力の決定に関して、ＲＦ受信ユニット８２０からのサンプルは、ＲＸ電力測定ユニット８２８に提供される。このＲＸ電力測定ユニット８２８は、公知のさまざまな技術を用いて好適基地局および隣接基地局の電力を測定する。
【００６７】
制御装置８３０は、復調器８２２からタイミング表示を受け取り、ＲＸ電力測定ユニット８２８から電力測定値を受け取る。そして、上述の方法で、制御装置８３０は再捕捉検索リストおよび次のウェイクアップインターバルを決定する。簡明にするために図９には示していないが、制御装置８３０は制御信号も提供し、この信号は遠隔端末１０６中のいくつかのユニットに対して、スリープサイクル時はパワーダウンし、ウェイクアップインターバルではパワーアップするよう指示する。
【００６８】
リバースリンクにおいて、データは送信（ＴＸ）データプロセッサ８２４により処理（例えば、フォーマット、エンコード）され、さらに変調器８４４によって処理（例えば、カバー、拡散）され、ＲＦ送信ユニット８４６によって調整（例えば、アナログ信号への変換、増幅、フィルタリング、直角位相変調等）され、リバースリンク信号が生成される。リバースリンク信号はデュプレクサ８１４を通じてルーティングされ、アンテナ８１２を介して１つ以上の基地局１０４に送信される。
【００６９】
隣接基地局を評価し、再捕捉検索リストを構築し、さらに本発明の他の観点を達成するための処理は、さまざまな方法で実現することができる。例えば、処理は、ハードウェア、ソフトウェア、またはこれらの組合せによって実現されてもよい。ハードウェアの構成に対しては、構成要素は、１つ以上の特定用途向け集積回路（ＡＳＩＣ）、デジタル信号プロセッサ（ＤＳＰ）、プログラム可能論理デバイス（ＰＬＤ）、制御装置、マイクロ制御装置、マイクロプロセッサ、ここに記述された機能を実行するよう設計された他の電子装置内で、あるいはこれらの組合せで実現されてもよい。ソフトウェアの構成については、構成要素は、ここに記述された機能を実行するモジュール（例えば、プロシージャ、ファンクションなど）で実現されてもよい。ソフトウェアのコードはメモリユニットに記憶され、プロセッサ（例えば、制御装置８３０）によって実行されてもよい。
【００７０】
再捕捉、ハンドオフ、ページングチャネル処理のさまざまな観点、実施形態、および特徴が、特にＷ−ＣＤＭＡについて説明されてきたが、これらの技術の多くは、他の通信システム、特に非同期システムに対して有利に適用することができる。さらに、ここに記述した技術は、例えば、ＩＳ−９５ＣＤＭＡシステム用のスロッテッドページングチャネル構造のような他のページングチャネル構造に対しても用いることができる。
【００７１】
好ましい実施形態の前述の記載は、当業者が本発明を製造あるいは実施できるように提供される。これらの実施形態に対するさまざまな変更は、当業者にとって容易に明らかであり、ここに定義された一般的な原理は、独創的な設備を用いなくても他の実施形態に応用することができる。よって、本発明は、ここに示されている実施形態にのみ限定されるものではなく、ここに開示された主要で新規な特徴と適合する最も広い範囲に一致するよう意図されている。
【図面の簡単な説明】
【図１】
図１は、多数の基地局を有し、多数のユーザをサポートするワイヤレス通信システムの図である。
【図２】
図２は、同期通信システムにおける３つの基地局のページングチャネル（各ＤＲＸサイクルに１０２４フレームを持つ）の具体的な構成およびタイミングの関係を示す図である。
【図３】
図３は、図２に示すページングチャネル構造に対するページングインジケータフレームの具体的な構成およびタイミングの関係を示す図である。
【図４】
図４は、非同期システムにおける３つの基地局のページングチャネルの具体的な構成を示す図である。
【図５】
図５は、本発明の実施形態にしたがった、非同期システムにおけるいくつかの非同期基地局からのページングチャネルの処理を示す図である。
【図６】
図６は、本発明の実施形態にしたがった、非同期ワイヤレス通信システムにおけるページングチャネルを処理する全体プロセスのフローチャートである。
【図７】
再捕捉検索リストを構築するプロセスの実施形態を示すフローチャートである。
【図８】
図８は、連続するウェイクアップインターバルにおける、再捕捉検索リスト中の基地局の検索結果に基づくハンドオフ評価の実施形態を示すフローチャートである。
【図９】
図９は、本発明のさまざまな観点を実現することのできる遠隔端末の実施形態を示すブロック図である。
【図１】
2004504783.tif 000003
【図２】
2004504783.tif 000004
【図３】
2004504783.tif 000005
【図４】
2004504783.tif 000006
【図５】
2004504783.tif 000007
【図６】
2004504783.tif 000008
【図７】
2004504783.tif 000009
【図８】
2004504783.tif 000010
【図９】
2004504783.tif 000011
【国際公開パンフレット】
2004504783.tif 000012
2004504783.tif 000013
2004504783.tif 000014
2004504783.tif 000015
2004504783.tif 000016
2004504783.tif 000017
2004504783.tif 000018
2004504783.tif 000019
2004504783.tif 000020
2004504783.tif 000021
2004504783.tif 000022
2004504783.tif 000023
2004504783.tif 000024
2004504783.tif 000025
2004504783.tif 000026
2004504783.tif 000027
2004504783.tif 000028
2004504783.tif 000029
2004504783.tif 000030
2004504783.tif 000031
2004504783.tif 000032
2004504783.tif 000033
2004504783.tif 000034
2004504783.tif 000035
2004504783.tif 000036
2004504783.tif 000037
2004504783.tif 000038
2004504783.tif 000039
2004504783.tif 000040
2004504783.tif 000041
2004504783.tif 000042
2004504783.tif 000043
2004504783.tif 000044
2004504783.tif 000045
2004504783.tif 000046
2004504783.tif 000047
2004504783.tif 000048
【国際公開パンフレット（コレクトバージョン）】
2004504783.tif 000049
2004504783.tif 000050
【国際調査報告】
2004504783.tif 000051
2004504783.tif 000052